(57)【特許請求の範囲】
【請求項１】
長尺状のベースと、該ベースの上流側及び下流側において該ベースにそれぞれ固定される止水栓と逆止弁と、前記止水栓と逆止弁との間に配置されるメータと、前記止水栓と前記メータとの間に配置され、前記メータを前記止水栓と逆止弁とに着脱自在に接続して支持する着脱装置とを備え、
前記逆止弁は、前記逆止弁のケースを構成する、貫通孔を備えた本体と、前記本体の貫通孔に上流側から挿入される逆止カートリッジとを備え、
前記逆止カートリッジは、非閉鎖型のハウジングと、該ハウジングの上流側開口部に取付けられた弁座部材と、前記ハウジング内に収納された弁体と、該弁体を前記弁座部材へ向けて付勢するバネと、該逆止カートリッジを前記本体に取付けるためのリング状の取付け部材とを備え、
前記取付け部材は、前記弁座部材の外周部に嵌合して取付けられ、
前記取付け部材の外周には雄ねじが形成され、前記取付け部材は、前記雄ねじが前記本体の貫通孔内周に形成された雌ねじに螺合することにより前記本体に取付けられることを特徴とする、水道用メータユニット。
【請求項２】
請求項１記載の水道用メータユニットにおいて、前記取付け部材はさらに、径方向外方へ拡がり、前記雄ねじが前記雌ねじに螺合したときに前記本体の上流側端面に当接可能なフランジを備えていることを特徴とする、水道用メータユニット。
【発明の詳細な説明】
【技術分野】
【０００１】
本発明は水道用のメータユニット、即ち、水道用のメータとその両側に配置されるバルブ装置をユニット化した装置に関する。さらに詳細に言えば、設置場所が狭く制限されている場合、例えば集合住宅のパイプシャフト内に設置するのに特に適した水道用メータユニットに関する。
【背景技術】
【０００２】
集合住宅の場合、例えば階段の踊り場の側壁部に、一戸分或いは複数戸分の水道用メータやガスメータ等が設置される通称パイプシャフトと称される格納スペースが設けられている。
【０００３】
従来、このような狭い格納スペースに水道のメータ及びその両側に設置される止水栓や逆止弁等を設置する場合、予め施工された一次側及び二次側の配管に対してこれらの機器は全て現場で芯合わせを行いながら、組み合わせて接続するようになっており、この配管に芯ズレが生じている場合、配管と機器、或いは機器同士を結合するための袋ナットの締結が容易でない。これはメータの新規設置の場合のみでなく、数年ごとに行われるメータ交換の際も同様である。しかも、狭いスペースでの作業であるので、特にメータ交換時には古くなった配管を作業中に折損してしまう場合もある。また、本発明においては逆止弁として逆止カートリッジを使用するタイプのものが使用されるが、従来の逆止カートリッジは、逆止カートリッジを本体或いはケース内に位置決めして挿入し、ソケット等を取り付けてそのソケットの端面によりシール部を押圧しシールするようにしている。従って、カートリッジの殆どの部分は本体内に収納され、僅かにシール部の圧縮代だけが本体から出ている。従って、逆止弁のメンテナンスを行おうとしてソケットを外しても、逆止カートリッジを取り出すのは容易ではない。
【発明の開示】
【発明が解決しようとする課題】
【０００４】
本願発明は上記の問題点に鑑みなされたものであり、メータとその両側に設置される機器、例えばバルブ装置を、ベースを使用することによりユニット化し、装置を設置する場合の芯だし作業を不要にしてメータ設置作業を容易にし、さらにメータ交換時には、ユニット自体は配管に取り付けたままで、このユニットからメータのみを取り外し、配管部分には一切手を触れずにメータ交換を行えるようにする、水道用メータユニットを提供しようとするものである。そして本発明によれば、逆止弁のメンテナンスが容易に行える水道用メータユニットが提供される。
【課題を解決するための手段】
【０００５】
上記課題を解決するために、本願発明においては、長尺状のベースと、該ベースの上流側及び下流側において該ベースにそれぞれ固定される止水栓と逆止弁と、前記止水栓と逆止弁との間に配置されるメータと、前記止水栓と前記メータとの間に配置され、前記メータを前記止水栓と逆止弁とに着脱自在に接続して支持する着脱装置とを備えたメータユニットにおいて、前記逆止弁は、前記逆止弁のケースを構成する、貫通孔を備えた本体と、前記本体の貫通孔に上流側から挿入される逆止カートリッジとを備え、前記逆止カートリッジは、非閉鎖型のハウジングと、該ハウジングの上流側開口部に取付けられた弁座部材と、前記ハウジング内に収納された弁体と、該弁体を前記弁座部材へ向けて付勢するバネと、該逆止カートリッジを前記本体に取付けるためのリング状の取付け部材とを備え、前記取付け部材は、前記弁座部材の外周部に嵌合して取付けられ、前記取付け部材の外周には雄ねじが形成され、前記取付け部材は、前記雄ねじが前記本体の貫通孔内周に形成された雌ねじに螺合することにより前記本体に取付けられるように構成した。
さらに本発明においては、前記取付け部材はさらに、径方向外方へ拡がり、前記雄ねじが前記雌ねじに螺合したときに前記本体の上流側端面に当接可能なフランジを備えている。
【発明の効果】
【０００６】
以上説明したように、本発明によれば、従来現場でそれぞれ配管に接続されている止水栓、逆止弁、メータ等がユニットとして提供されるので、パイプシャフト等狭い場所での取付けが極めて容易になる。また、メータは着脱装置で容易に取り外しが可能なので、その取付け、交換が簡単な作業で行え、配管を損傷するような心配もない。そして逆止弁については、それに使用される逆止カートリッジがカートリッジ本体とこの本体を逆止弁本体に着脱自在に取付ける取付け部材とで構成したので、逆止カートリッジの取り外しが簡単に行え、逆止弁のメンテナンスが容易に行える。
【発明を実施するための最良の形態】
【０００７】
以下、図面に基づき本願発明の具体的実施の形態を説明するが、本願発明の範囲は以下に説明される実施の形態に限定されるものではない。
図１は、本発明の第１の実施の形態に係る水道用メータユニット（以下、単にメータユニットと言う）の正面図である。図において、メータユニット１は、メータ３、該メータの上流側に接続されたボール弁を使用したボール止水栓（以下、単に止水栓という）５、下流側に接続された逆止弁７とを備えている。止水栓５及び逆止弁７は、それぞれ図示しない上流側と下流側の配管に接続される。符号９は、メータ３を着脱自在にこのメータユニット１に取り付けるための着脱装置である。また、符号１１はベースであり、このベース１１に止水栓５、逆止弁７、着脱装置９が取り付けられ、メータ３は、着脱装置９と逆止弁７とによりその両端の螺子部１３、１４を支持されている。ベース１１は、その両側端部においてパイプシャフトの床面或いは側壁にアンカーボルト等を使用して取り付けられる。
【０００８】
図２は、図１に示すメータユニット１に使用されている止水栓５と着脱装置９の詳細を示す拡大断面図である。止水栓５はストレート型のボール止水栓であり、本体２１内に、真っ直ぐに形成された流路２５を備えたボール２３を、ハンドル２７により操作し、一次側と二次側との連通を開閉するものである。一次側連結部２９には図示しない配管が接続され、二次側連結部３１には後述する着脱装置９が連結される。
【０００９】
この止水栓５の本体２１の下部には、ボス３３が形成されている。そのボス３３の下面側には、二つの螺子孔３５が一次側と二次側の連結部２９、３１の中心を結ぶ方向に並んで形成されている。そして、その螺子孔３５の入口側は座ぐり加工が施され、径が大きい位置決め孔３７となっている。ベース１１にも、螺子孔３５に対応して位置決め孔３９が設けられている。そして、この位置決め孔３７、３９に位置決め用のブッシュ４１が嵌合状態で挿入され、ベース１１に対する止水栓５の位置を正確に決めている。そして、ボルト４３により止水栓５はベース１１に固定されている。
【００１０】
着脱装置９は、止水栓５の二次側連結部３１に回転自在に連結される、回転部材としてのロックナット４５を備えている。ロックナット４５は中空であり、内部の孔の途中に形成された、内方へ延び、止水栓５の二次側連結部３１の先端部に嵌まっている内方フランジ４７と、それより一次側に近い位置で内周側に形成された溝４８に収受された取付けリング４９とで、止水栓５の二次側連結部３１に形成された外方フランジ３２を挟み、軸方向移動が規制されている。ロックナット４５は、外周側に設けられた複数個の摘み５１を用いて止水栓本体２１に対して回転させることが出来る。
【００１１】
符号５５は摺動部材としてのスライドホルダである。スライドホルダ５５も中空の部材であり、その外径の異なる三つの部分からなっている。外径の最も小さい第１の部分５７は、止水栓本体２１の二次側連結部３１内に摺動自在に挿入されている。符号５８は両者のあいだをシールするＯリングである。次に外径の大きい第２の部分５９は、その一部に雄ねじ６１が刻設され、これがロックナット４５の内方フランジ４７に関して内周溝４８と反対側に形成された雌ねじ４６と螺合している。最も外径の大きい第３の部分６３は、後述するスライドガイド７１に嵌合して案内される部分である。第３の部分６３は大略円環状の形をしている。この第３の部分の先端側に、メータ７の一次側螺子部１３を受け止める一次側螺子受け部６７が設けられている。この螺子受け部６７は、下半分だけの半円状をしている。その内径は、メータ７の一次側螺子部１３の外径に対応している。そして、第３の部分６３と螺子受け部６７はそれらの下部において平らにカットされて摺接部６５を形成している。さらに、第３の部分６３の端面には、メータ７の一次側螺子部１３の外径に対応した径の浅い座ぐり６８が形成され、一次側螺子部１３の端部が嵌まるようになっている。さらに、孔６０を囲んだ形で溝６４が形成されており、ここにＯリング６９が収受され、メータ７の一次側螺子部１３の端面との間をシールする。
【００１２】
符号７１はスライドガイドである。スライドガイド７１は、スライドホルダ７１の第３の部分６３に嵌合する円環部７３と、第３の部分６３と螺子受け部６７に形成された摺接部６５を受けてこれを案内する上面が平らなガイド部７５とを備えている。スライドガイド７１は、ガイド部７５の左右（図２の紙面に垂直方向で）の位置で、ボルト７７を用いてベース１１に固定される。
【００１３】
以上の如く構成された着脱装置においては、ロックナット４５を回転させることにより、スライドホルダ５５がスライドガイド７１に案内されて前後進する。なお、ロックナット４５の雌ねじ４６とスライドホルダ５５の雄ねじ６１の螺合が外れるまで前進させると、スライドホルダ５５を外すことが出来る。
【００１４】
図３は、図１に示すメータユニット１に使用されている逆止弁７の詳細を示す拡大断面図である。この逆止弁７は、本体８１と、この本体８１内に挿入される逆止カートリッジ８２とを備えている。
【００１５】
水道の配管途中に挿入されて使用される逆止カートリッジは公知であり、例えば特開昭５９−３７３７５、実公平３−１４６０７号等に記載されている。この実施の形態で使用される逆止カートリッジ８２の基本的構成は、実公平３−１４６０７号に記載されたものと同じでよい。即ち、逆止カートリッジ８２は、ハブ８４、ハブ８４から径方向に延びる複数のアーム８５、アーム８５の外端部が結合する底部円環部８６、底部円環部８６からアーム８５に直交する方向に延びる複数のリブ８７、リブ８７の先端が結合する弁座円環部８８からなる非閉鎖型のハウジング８９と、弁座円環部８８に取り付けられる弁座部材９０と、ハウジング８９内に摺動自在に収納され、バネにより弁座部材９０に向けて付勢される弁体９１と、取付けリング９２を備えている。弁座部材９０は、金属リング１１８にゴムからなる被覆体１３１を一体成形で被覆してなるもので、金属リング１１８の内側面側に弁座１３３を、外側面上にシール部１１７を形成している。
【００１６】
本実施の形態で使用する逆止カートリッジ８２は、前述のように取付けリングを備え、この取付けリング９２は該逆止カートリッジ８２を本体８１に取り付けるためのものである。この取付けリング９２は、中央孔を備えた円環部９３を備え、この円環部９３の図中右側には、内径が大きくされて、逆止カートリッジ８２の弁座部材９０の外周に嵌る筒部９４を備えている。また、取付けリング９２は図中左端において円環部９３から径方向外方へ拡がるフランジ９５を備えている。筒部９４が弁座部材９０の外周にしっくりと嵌まって一体化され、取り外しは可能であるが、組み立てた時には一体的に取り扱うことが出来る。円環部９３の外周には雄ねじ９６が刻設されている。また、取付けリング９２の９４と反対側の側面には、メータ７の二次側螺子部１５の外径に対応した径の浅い座ぐり９７が加工され、その底面には、円環部９３の中央孔を囲んで溝が形成され、そこにＯリング９８が収受されている。座ぐり９７部分にメータ７の二次側螺子部１５の先端が挿入され、Ｏリング９８を圧縮し、メータの二次側螺子部１５と取付けリング９２との間をシールする。
【００１７】
逆止弁本体８１は、貫通孔１０１を備え、二次側連結部１０３において二次側の配管に接続される。そしてその下部には、止水栓５と同様にボス１０５が設けられ、底面側から二つの螺子孔１０７が、貫通孔１０１の軸線方向に並んで設けられている。螺子孔１０７の入口側は径を広げて座ぐりされ、位置決め孔１０９となっており、これに対応してベース１１にも位置決め孔１１１が形成され、この位置決め孔１０９、１１１にブッシュ１１３が嵌合状態で挿入され、逆止弁７をベース１１に対して正確に位置決めする。そしてボルト１１５によって固定される。なお、ベース１１の位置決め孔３９と１１１は一直線上に並んであり、ベース１１に取り付けられた止水栓５と逆止弁の芯が自動的に合うようになっている。
【００１８】
逆止カートリッジ８２は本体８１の貫通孔１０１に図示の通り一次側から挿入され、取付けられる。すなわち、本体８１の貫通孔１０１の部分に雌ねじ１０２が形成され、この雌ねじ１０２に取付けリング９２の雄ねじ９６が螺合することにより挿入して、取付けられ、カートリッジ本体８３は貫通孔１０１内に配置される。そして弁座部材９０のゴム等弾性材料製のシール部１１７を、取付けリング９２の筒状部９３の底面と内側面及び弁座部材９０の金属リング１１８とで圧縮し、この部分をシールする。その際、ハウジング８９の底部円環部８６が、本体８１の貫通孔１０１の途中に設けられた段部１０４に当接する。また、取付けリング９２のフランジ９５が、貫通孔１０１の端部すなわち本体８１の端面に当接してカートリッジ８３の挿入量を規制する。符号１１９は本体８１と取付けリング９２との間をシールするＯリングである。なお、取付けリング９２を備えていない従来の逆止カートリッジは、逆止カートリッジを本体或いはケース内に位置決めして挿入し、ソケット等を取り付けてそのソケットの端面によりシール部を押圧しシールするようにしている。従って、カートリッジの殆どの部分は本体内に収納され、僅かにシール部の圧縮代だけが本体から出ている。従って、逆止弁のメンテナンスを行おうとしてソケットを外しても、逆止カートリッジを取り出すのは容易ではない。しかし本実施の形態で使用するカートリッジは、取付けリングを備え、その取付けリングを本体に螺合させることにより取り付けているので、その取り外しも容易であり、逆止弁のメンテナンスが容易に行える。勿論逆止弁７をベース１１から外す必要はない。
【００１９】
逆止カートリッジ８2の取付けリング９２に、メータ３の二次側螺子部１５を受けるための螺子受け部材１２１が着脱自在に取り付けられる。本実施の形態での螺子受け部材１２１はプラスチック製であり、メータ３の二次側螺子部１５の径に対応する径の中央孔１２４を備えた円盤部１２３と、円盤部１２３から延び、取付けリング９２のフランジ９５に嵌まる筒部１２５とを備える。筒部１２５には円周方向で隔てて複数の割りが入っていて、取り付けやすくなっており、また、筒部１２５の先端には径方向内方へ僅かに突出する突起１２６が形成され、螺子受け部材１２１が取付けリング９２に取り付けられたときに、取付けリング９２のフランジ９５に引っ掛かり、取付けリング９２から螺子受け部材１２１が脱落しないようになっている。螺子受け部材１２１は取付けリング９２に対し回転可能である。勿論取付けリングは金属製とすることも可能である。
【００２０】
符号１２７はメータ３の二次側螺子部１５を受け止めるための螺子受け部である。螺子受け部１２７は下側半分だけの半円形であり、その内径はメータ３の二次側螺子部の外径に対応しており、その内周面は、円盤部１２３の中央孔１２４の内周面と同一面を形成している。
【００２１】
以上のように構成されるメータユニット１の組み立ては、先ず、ベース１１に止水栓５、着脱装置９、逆止弁７を取り付ける。この状態で、止水栓５と着脱装置９と逆止弁７の芯は合っており、改めて芯合わせを行う必要はない。着脱装置のロックナット４５を一方向に回転させ、スライドホルダ５５を引っ込める。この状態で、メータ３の一次側螺子部１３、二次側螺子部１４を、それぞれスライドホルダ５５の螺子受け部６７と螺子受け部材１２１の螺子受け部１２７に載置する。ロックナット４５を先と反対側に回転させ、メータ３を逆止弁７に向けて押しつける。これにより、Ｏリング６９と９８とは圧縮され、メータ３と着脱装置９、逆止弁７との接続部のシールが行われる。図示しない止めボルトを設けて、ロックナット４５が緩まないようにすることが出来る。メータ３の交換を行う場合には、ロックナット４５を緩めるだけで行うことが出来る。
【００２２】
なお、メータ３とベース１１との間の間隔Ｈは、図１の状態からメータ３を螺子部１３、１５回りに９０度回転させることが出来るだけの寸法となっている。すなわち、メータ３は水平状態に設置して使用するのが原則であり、傾けて使用すると作動そのものに異常を来す等の問題が生じる。パイプシャフトによっては、メータユニットを床面に設置することが出来ず、壁面にベース１１を取り付ける場合がある。このような場合、メータ３を図１の状態から９０度回転して取付ければ、メータ３の水平状態での使用が可能となる。
【００２３】
ところでメータ３については、その接続用螺子部の螺子径の異なる物が複数種類使用されている。そして、異なる螺子径を有する複数種類のメータが、同一の水道事業者によって使用されているのが現実である。しかしながら本願発明によるメータユニットの螺子受け部材即ち着脱装置９のスライドホルダ５５と、螺子受け部材１２１、さらには逆止カートリッジ８２（の取付けリング９２）は前述のとおり取り外しが出来るようになっている。従って、受け部の寸法がそれぞれのメータの螺子径に対応した寸法のスライドホルダ５５と、螺子受け部材１２１、取付けリング９２を用意しておけば、これらの交換だけで異なる螺子径のメータに対応することが出来る。
【００２４】
図４は、第２の実施の形態に使用する止水栓２０１と着脱装置９の詳細を示す拡大断面図である。着脱装置９は第１の実施の形態で使用したものと同じである。この実施の形態での止水栓２０１は、アングル型ボール止水栓であり、使用するボール２０２に形成される流路２０３は図示のように鉤の手状に直角に曲がっており、一次側連結部２０４は上方に向いて設けられている。そして、ボール２０２には、図４の紙面に垂直方向に延びて設けられたスピンドル（図示せず）が結合されている。本実施の形態では、そのスピンドルはボール２０２の左右（紙面に垂直方向）に二本取り付けられており、必要に応じていずれか一方にハンドルをとりつけて使用される。これにより、パイプシャフト内の一次側と二次側の配管が逆になっている場合のいずれの場合にも対応できる。
【００２５】
図５は、第３の実施の形態で使用する、逆止弁３０１の詳細を示す拡大断面図である。この逆止弁に使用する逆止カートリッジ８２は、第１の実施の形態で使用したものと同じである。そしてこの逆止弁３０１の本体３０２は、内部の流路が鉤の手状に曲がっているアングル型本体であり、その二次側連結部３０３は一次側連結部３０４に対して９０度曲がって、上方へ向いている。勿論、二次側連結部を紙面に垂直方向に曲げたタイプの使用も可能である。
【図面の簡単な説明】
【００２６】
【図１】本発明の第１の実施の形態に係るメータユニットの正面図である。
【図２】第１の実施の形態に係る止水栓と着脱装置の拡大断面図である。
【図３】第１の実施の形態に係る逆止弁の拡大断面図である。
【図４】第２の実施の形態に係る止水栓と着脱装置の拡大断面図である
【図５】第３の実施の形態に係る逆止弁の拡大断面図である。
【符号の説明】
【００２７】
１：メータユニット、３：メータ、５：ボール弁型止水栓、７：逆止弁、９：着脱装置、１１：ベース、４５：ロックナット（回転部材）、５５：スライドホルダ（スライド部材）、６７：螺子受け部、７１：スライドガイド、８１：逆止弁本体、８２：逆止カートリッジ、８３：カートリッジ本体、９０：弁座部材、９２：取付けリング、９３：筒状部、９５：フランジ、１２１：螺子受け部材
【図１】
0004676462.tif 000002
【図２】
0004676462.tif 000003
【図３】
0004676462.tif 000004
【図４】
0004676462.tif 000005
【図５】
0004676462.tif 000006